(57)【要約】【課題】光源装置内におけるヒートシンクの位置決めの精度を高めることができ、光源ケース又は光源装置に振動や衝撃が加わったとしても、ヒートシンクの取り付け位置を維持することができる電子内視鏡用光源装置の放熱構造を提供する。【解決手段】光源を収容する光源カバー内において、光源に接触するように配置されたヒートシンクと、光源カバーの少なくとも二つの内面上に固定された放熱性弾性部材と、を備え、ヒートシンクは、放熱性弾性部材により接触支持されている。【選択図】図３
2007282836.tif 000002
【特許請求の範囲】
【請求項１】
光源を収容する光源カバー内において、前記光源に接触するように配置されたヒートシンクと、
前記光源カバーの少なくとも二つの内面上に固定された放熱性弾性部材と、を備え、
前記ヒートシンクは、前記放熱性弾性部材により接触支持されていることを特徴とする内視鏡用光源装置の放熱構造。
【請求項２】
前記放熱性弾性部材は、前記光源カバーの対向する二つの内面上に固定されており、これらの面に対向する前記ヒートシンクの二つの外面にそれぞれ接触する請求項１記載の内視鏡用光源装置の放熱構造。
【請求項３】
前記放熱性弾性部材の少なくとも一つには、接触する前記ヒートシンクの外面を案内するガイド凹部を備える請求項１又は請求項２記載の内視鏡用光源装置の放熱構造。
【請求項４】
前記放熱性弾性部材は、放熱性のシリコーンゴムである請求項１〜請求項３のいずれか１項記載の内視鏡用光源装置の放熱構造。
【発明の詳細な説明】
【技術分野】
【０００１】
本発明は、内視鏡用光源装置の光源が発する熱を放熱する放熱構造に関する。
【背景技術】
【０００２】
図５及び図６に示すように、光源カバー１３０内には、ランプ１４０のほかに、従来の放熱構造を構成するヒートシンク１６１、１６２及びヒートシンク支持板１３５、１３６が配置されている。
【０００３】
ヒートシンク１６１、１６２は、前後方向に直交するように配置される板状の基部１６１ａ、１６２ａ上に、所定の間隔を置いて前後方向に延びるように配置された放熱板１６１ｂ、１６２ｂが設けられた構成をなしている。ランプ１４０は、その後端部１４０ａが基部１６２ａの前面１６２ａに固定され、前端部１４０ｂは、ヒートシンク１６１の略中央に前後方向に貫設した挿通孔１６１ｃに嵌入されている。よって、ランプ１４０はヒートシンク１６１及びヒートシンク１６２に接触しており、ヒートシンク１６１及びヒートシンク１６２の放熱作用により、ランプ１４０から発せられる熱は効率よく放出される。
【０００４】
光源カバー１３０においては、上面１３５ａを上板１３１の下面に、下面１３５ｂを下板１３２の上面に、それぞれ固定した金属製の長板状のヒートシンク支持板１３５と、上面１３６ａを上板１３１の下面に、下面１３６ｂを下板１３２の上面に、それぞれ固定した金属製の長板状のヒートシンク支持板１３６と、が前後方向で所定の間隔をおいて互いに平行に配置されている。ヒートシンク１６１及びヒートシンク１６２は、基部１６１ａ及び基部１６２ａを貫通した取り付けねじ１６８及び取り付けねじ１６９の先端を、ヒートシンク支持板１３５、１３６に螺合することにより、それぞれ光源カバー１３０に固定されている（図６の点線）。
【特許文献１】特開平０８−２２２６６７号公報
【特許文献２】特開２０００−３３８９０４号公報
【発明の開示】
【発明が解決しようとする課題】
【０００５】
しかしながら、上述の内視鏡用光源装置１２０では、ヒートシンク１６１及びヒートシンク１６２は、取り付けねじ１６８及び取り付けねじ１６９でそれぞれ支持されているのみであるため、光源カバー１３０に対する位置決め精度が低くなりやすい。このため、ランプ１４０を正しい位置に配置することが困難となり、内視鏡操作で光量不足となるおそれがある。さらに、光源カバー１３０又は光源装置に対して振動や衝撃が加わると、ヒートシンク１６１及びヒートシンク１６２の取り付け位置がずれてしまうおそれがあった。
【課題を解決するための手段】
【０００６】
上記課題を解決するために、本発明の内視鏡用光源装置の放熱構造においては、光源を収容する光源カバー内において、光源に接触するように配置されたヒートシンクと、光源カバーの少なくとも二つの内面上に固定された放熱性弾性部材と、を備え、ヒートシンクは、放熱性弾性部材により接触支持されていることを特徴としている。
【０００７】
上記放熱性弾性部材は、光源カバーの対向する二つの内面上に固定されており、これらの面に対向するヒートシンクの二つの外面にそれぞれ接触することが好ましい。
【０００８】
上記放熱性弾性部材の少なくとも一つには、接触するヒートシンクの外面を案内するガイド凹部を備えるとよい。
【０００９】
上記放熱性弾性部材は、放熱性のシリコーンゴムを用いることができる。
【発明の効果】
【００１０】
本発明によると、ヒートシンクを少なくとも二つの放熱性弾性部材によって支持してあるため、光源装置内におけるヒートシンクの位置決めの精度を高めることができるとともに、光源ケース又は光源装置に振動や衝撃が加わったとしても、振動を吸収してヒートシンクの取り付け位置を維持することができる。さらに、弾性部材の放熱性によって、光源から発せられる熱を効率よく放出することができる。
【発明を実施するための最良の形態】
【００１１】
以下、図１、図２に示す電子内視鏡１０及び電子内視鏡用光源装置２０に対して、本発明にかかる内視鏡用光源装置の放熱構造を適用した実施形態について説明するが、本発明はこの実施形態に限定されるものではない。
【００１２】
図１に示す電子内視鏡（内視鏡）１０は、操作部１１と挿入部１２とを有し、挿入部１２の先端部には、操作部１１に設けた湾曲操作装置１３の操作に応じて上下及び左右方向に湾曲される湾曲部１２ａが設けられている。湾曲部１２ａの先端面には、図示しない観察窓（対物窓）と照明光学系が設けられている。
【００１３】
操作部１１からはユニバーサルチューブ１４が延びており、このユニバーサルチューブ１４の先端に設けられたコネクタ部１４ａには、円筒形状をなすライトキャリングバンドルスリーブ１４ｂと信号接続部１４ｃとが突設されている。さらに、ライトキャリングバンドルスリーブ１４ｂ、コネクタ部１４ａ、ユニバーサルチューブ１４、操作部１１及び挿入部１２の内部には、導光ファイバ束（ＬＣＢ：ライトキャリングバンドル）１５が内挿されており、その先端に形成された出射端面が、挿入部１１の先端内部において上記照明光学系（不図示）に接続されている。
【００１４】
図２に示す電子内視鏡用光源装置（内視鏡用光源装置）２０内には、ケーシング（筐体）２１の前面２１ａ（図２の右側を前方、左側を後方とする）に貫設した光源接続用孔（不図示）から、ライトキャリングバンドルスリーブ１４ｂが差し込まれ、前面２１ａに貫設した信号接続部支持孔（不図示）から信号接続部１４ｃが差し込まれている。また、ケーシング２１の底板２１ｂの上面には、光源接続用孔の後方に位置する絶縁性の光源カバー３０が固定されている。
【００１５】
光源カバー３０内に位置するランプ（光源）４０は、光源カバーの前面に穿設された採光孔（不図示）、及び、この採光孔の前方でケーシング２１の底板２１ｂの上面に配置された集光レンズ群５０を介して、前後方向において、ライトキャリングバンドルスリーブ１４ｂの出射口と対向している。集光レンズ群５０の光軸は、ランプ４０の光軸、及びライトキャリングバンドルスリーブ１４ｂの各中心軸と一致している。
【００１６】
ランプ４０から集光レンズ群５０への光路上には、開放時にはランプ４０からの出射光をそのまま透過させ、閉塞時にはランプ４０からの出射光を遮る調光絞り５２が設けられている。ランプ４０はケーシング２１の外面に設けられたランプ点灯スイッチ（不図示）のＯＮ操作により点灯し、ＯＦＦ操作により消灯するものであり、電子内視鏡１０の挿入部１１を対象物内部（例えば体腔内又は機械内）へ挿入する場合は常時点灯させることができる。
【００１７】
図２〜図４に示すように、光源カバー３０内には、ヒートシンク６１、６２が配置されている。このヒートシンク６１、６２は、前後方向に直交し、かつ、互いに所定の間隔をおいて配置される板状の基部６１ａ、６２ａ上に、前後方向に延び、かつ、互いに所定の間隔をおいて配置された放熱板６１ｂ、６２ｂが設けられた構成をなしている。
【００１８】
以上の構成のヒートシンク６１、６２に対して、ランプ４０は、その後端部４０ａが基部６２ａの前面６２ａ１に固定され、前端部４０ｂは、ヒートシンク６１の略中央に前後方向に貫設した挿通孔６１ｃに嵌入されている。よって、ランプ４０はヒートシンク６１、６２に接触しており、ヒートシンク６１、６２の放熱作用により、ランプ４０から発せられる熱は効率よく放出される。
【００１９】
図３及び図４に示すように、光源カバー３０においては、上面３５ａを上板３１の下面（内面）３１ａに、下面３５ｂを下板３２の上面（内面）３２ａに、それぞれ固定した金属製の長板状のヒートシンク支持板３５、及び、上面３６ａを上板３１の下面３１ａに、下面３６ｂを下板３２の上面３２ａに、それぞれ固定した金属製の長板状のヒートシンク支持板３６、が互いに平行に、所定の位置（ヒートシンク６１、６２が配置されるべき位置に対応した位置）に配置されている。ヒートシンク６１及びヒートシンク６２は、基部６１ａ及び基部６２ａを貫通した取り付けねじ６８及び６９の先端を、ヒートシンク支持板３５、３６に螺合することにより、それぞれ固定されている（図６の点線）。
【００２０】
さらに、光源カバー３０の上板３１の下面３１ａには、所定の位置（ヒートシンク６１、６２が配置されるべき位置に対応した位置）に、放熱性を備えシリコーンゴム（放熱性弾性部材）７１、７２がそれぞれ接着固定されている。これらシリコーンゴム７１、７２は、一つの側面を傾斜面７１ａ、７２ａとした長板状をなしている。シリコーンゴム７１、７２は、傾斜面７１ａ、７２ａに対向する側面７１ｂ、７２ｂをヒートシンク支持板３５、３６の側面３５ｃ、３６ｃ（図４）に突き当てた状態で、上面７１ｃ、７２ｃを上板３１の下面３１ａに接着固定される。
【００２１】
光源カバー３０の下板３２の上面３２ａには、シリコーンゴム７１、７２に対応する位置に、シリコーンゴム７１、７２と同じ材質の放熱性のシリコーンゴム（放熱性弾性部材）８１、８２がそれぞれ接着固定されている。シリコーンゴム７１、７２、８１、８２は、放熱性を備えた弾性部材であればシリコーンゴム以外の材料を用いることもできる。シリコーンゴム７１、７２、８１、８２を上板３１、下板３２に固定するための接着材も放熱性を備えることが好ましい。また、シリコーンゴム７１とシリコーンゴム７２を一枚の板状部材で構成してもよい。
【００２２】
シリコーンゴム８１は、互いに対向する側面が傾斜面８１ａ、８１ｂとされた長板状をなし、その上面には、ヒートシンク６１の底面（外面）６１ｄを嵌入可能なガイド凹部８１ｃが凹設されている（図３）。シリコーンゴム８２も、シリコーンゴム８１と同様に、互いに対向する側面が傾斜面８２ａ、８２ｂとされた長板状をなし、その上面に、ヒートシンク６２の底面（外面）６２ｄを嵌入可能なガイド凹部８２ｃが凹設されている。なお、ヒートシンク６１、６２を案内可能にガイド凹部８１ｃ、８２ｃを形成してあれば、
シリコーンゴム８１とシリコーンゴム８２を一枚の板状部材で構成してもよい。また、ガイド凹部は、シリコーンゴム７１、７２側のみに、又は、シリコーンゴム７１、７２、８１、８２のすべてに、形成することもできる。
【００２３】
本実施形態の放熱構造は、上述のヒートシンク６１、６２、及び、シリコーンゴム７１、７２、８１、８２を備える。
【００２４】
本実施形態の光源カバー３０では、まず、光源カバー３０の上板３１の下面３１ａの所定位置にシリコーンゴム７１、７２をそれぞれ接着固定するとともに、下板３２の上面３２ａに、ガイド凹部８１ｃ、８２ｃがシリコーンゴム７１、７２の下面に対向するように、シリコーンゴム８１、８２をそれぞれ接着固定する。つづいて、ヒートシンク６１、６２を、上面（外面）６１ｅ、６２ｅをシリコーンゴム７１、７２の下面７１ｅ、７２ｅと摺動させ、底板６１ｄ、６２ｄをガイド凹部８１ｃ、８２ｃで摺動案内しつつ、ヒートシンク支持板３５、３６へ向かう方向（図４の左から右への方向）へそれぞれ挿入する。ヒートシンク６１、６２の基部６１ａ、６２ａがヒートシンク支持板３５、３６にそれぞれ突き当たったところで、取り付けねじ６８、６９を基部６１ａ、６２ａ内にそれぞれ挿入し、先端をヒートシンク支持板３５、３６にそれぞれ螺合することにより、ヒートシンク６１、６２を光源カバー３０内に固定する。
【００２５】
以上のように、ヒートシンク６１をシリコーンゴム７１及びシリコーンゴム８１で、ヒートシンク６２でシリコーンゴム７２及びシリコーンゴム８２で、それぞれ挟持する構成としてあるため、光源カバー３０内におけるヒートシンク６１、６２ひいてはランプ４０の位置決めの精度を高めることができる。さらに、シリコーンゴム７１、７２、８１、８２に弾性を備えた部材を用いたことにより、光源カバー３０又は電子内視鏡用光源装置２０に振動や衝撃が加わったとしても、振動を吸収することができるため、ヒートシンク６１、６２の取り付け位置を維持することができる。さらに、シリコーンゴム７１、７２、８１、８２が放熱性材料からなるため、ヒートシンク６１、６２の放熱効果に加えて、ランプ４０から発せられる熱をより効率的に放出して、光源カバー３０内及び電子内視鏡用光源装置２０内の温度上昇を軽減することができる。
【００２６】
本発明について上記実施形態を参照しつつ説明したが、本発明は上記実施形態に限定されるものではなく、改良の目的または本発明の思想の範囲内において改良または変更が可能である。
【図面の簡単な説明】
【００２７】
【図１】本発明の実施形態に係る電子内視鏡の構成を示す外観図である。
【図２】本発明の実施形態に係る電子内視鏡のライトキャリングバンドルスリーブが装着された電子内視鏡用光源装置内の構成を示す一部破断側面図である。
【図３】図２に示す光源カバー内の構成を拡大して示す側面図である。
【図４】図３に示す光源カバー内の構成を前方から見た破断正面図である。
【図５】従来の電子内視鏡用光源装置の光源カバー内の構成を拡大して示す側面図である。
【図６】図５に示す光源カバー内の構成を前方から見た破断正面図である。
【符号の説明】
【００２８】
１０    電子内視鏡（内視鏡）
３０    光源カバー
３１ａ  下面（内面）
３２ａ  上面（内面）
４０    ランプ（光源）
６１    ヒートシンク
６１ｄ  底面（外面）
６１ｅ  上面（外面）
６２    ヒートシンク
６２ｄ  底面（外面）
６２ｅ  上面（外面）
７１    シリコーンゴム（放熱性弾性部材）
７２    シリコーンゴム（放熱性弾性部材）
８１    シリコーンゴム（放熱性弾性部材）
８２    シリコーンゴム（放熱性弾性部材）
８１ｃ  ガイド凹部
８２ｃ  ガイド凹部
【図１】
2007282836.tif 000003
【図２】
2007282836.tif 000004
【図３】
2007282836.tif 000005
【図４】
2007282836.tif 000006
【図５】
2007282836.tif 000007
【図６】
2007282836.tif 000008